(57)【特許請求の範囲】
【請求項１】
コンテンツを表示する１または複数種類のコンテンツ表示端末装置が複数台設置された複数の拠点と、
各拠点に対してコンテンツを配信するコンテンツ配信センタと、
を有するコンテンツ配信システムにおいて、
前記コンテンツ配信センタには、
配信対象のコンテンツ、そのコンテンツのインストールソフトウェア、そのコンテンツの表示スケジュール情報及びコンテンツ属性情報を含むコンテンツ情報を、コンテンツ毎表示スケジュール毎に生成するコンテンツ情報生成処理手段と、
コンテンツ種別と、当該コンテンツ種別に該当するコンテンツを含むコンテンツ情報の配信先となる拠点を特定する情報とが対応付けされた配信先情報が登録された配信先情報データベースと、
予め設定されている配信スケジュールに従いコンテンツ情報を、配信先情報に基づき特定した各拠点に自動配信する自動配信処理手段と、
を有するコンテンツ配信サーバが設置され、
前記各拠点には、
コンテンツ種別に基づき当該コンテンツの配信先とする前記コンテンツ表示端末装置を特定するための配信先端末情報が登録された配信先端末情報データベースと、
予め設定されている配信スケジュールに従い前記コンテンツ配信サーバから配信されてきたコンテンツ情報に含まれているコンテンツ、インストールソフトウェア及び表示スケジュール情報を、配信先端末情報に基づき特定した前記コンテンツ表示端末装置に自動配信する拠点内コンテンツ配信処理手段と、
を有するコンテンツ中継サーバが設置され、
前記各コンテンツ表示端末装置は、前記コンテンツ中継サーバからコンテンツ及び当該コンテンツのインストールソフトウェアが送られてきた時点で当該コンテンツのインストールを自動的に開始するインストール実行手段を有し、
制作されたコンテンツの前記各コンテンツ表示端末装置への配信及びインストールを自動的に実行することを特徴とするコンテンツ配信システム。
【請求項２】
前記コンテンツ配信サーバは、コンテンツを前記拠点へ自動配信する配信時間情報を設定する配信スケジュール設定手段を有することを特徴とする請求項１記載のコンテンツ配信システム。
【請求項３】
前記拠点内コンテンツ配信処理手段は、前記コンテンツ表示端末装置にコンテンツを自動配信する際、前記各コンテンツ表示端末装置への配信済の表示スケジュール情報を事前に調査し、表示スケジュール情報が未配信であったときのみ当該表示スケジュール情報を該当する前記コンテンツ表示端末装置へ配信することを特徴とする請求項１記載のコンテンツ配信システム。
【請求項４】
前記拠点内コンテンツ配信処理手段は、前記コンテンツ表示端末装置にコンテンツを自動配信する際、前記各コンテンツ表示端末装置への配信済のコンテンツを事前に調査し、コンテンツが未配信であったときのみ当該コンテンツ及びインストールソフトウェアを該当する前記コンテンツ表示端末装置へ配信することを特徴とする請求項１記載のコンテンツ配信システム。
【発明の詳細な説明】
【０００１】
【発明の属する技術分野】
本発明はコンテンツ配信システム、特に各拠点に設置されたコンテンツ表示端末装置で表示させるコンテンツのコンテンツ配信センタから各コンテンツ表示端末装置への配信及びインストール処理の自動化に関する。
【０００２】
【従来の技術】
我が国における各マルチメディア科学館では、自然、健康、災害等それぞれの分野に属する資料を展示したり、関連するコンテンツを設置されたコンテンツ表示端末装置（以下、「展示端末」という）に表示することで展示等している。展示端末は、汎用的なパーソナルコンピュータにジョイスティックや大型プロジェクタを接続し、予め設定した表示スケジュールに従いＭＰＥＧ等の映像や３次元ＣＧなどの種々のコンテンツを種々の形態で展示できるように構成されている。展示端末にコンテンツを表示させるためには、当該各展示端末の種類に適応したコンテンツを事前にインストールしておく必要がある。
【０００３】
以下、コンテンツを各展示端末にインストールするまでの従来における処理の流れを説明する。
【０００４】
各展示端末において表示されるコンテンツは、コンテンツ配信センタにて管理されている。コンテンツ配信センタでは、新たなコンテンツが制作されると、そのコンテンツ及びそのインストーラをＣＤ−ＲＯＭに記録して各マルチメディア科学館に配送する。各マルチメディア科学館では、配送されてきたＣＤ−ＲＯＭをコンテンツを表示させる各展示端末に装着してインストールを行う。あるいは、マルチメディア科学館内に設置されているコンテンツサーバとネットワーク接続されている展示端末に対しては、コンテンツサーバからインストールを実行する。このようにしてコンテンツがインストールされると、各展示端末において予め設定された表示スケジュールに従い各コンテンツを表示する。
【０００５】
【発明が解決しようとする課題】
しかしながら、従来においては、コンテンツをコンテンツ配信センタから遠隔地の各マルチメディア科学館（以下、「拠点」）に配送し、複数種類、複数台の展示端末毎に担当者がそれぞれインストールを行う必要があった。このため、展示端末数の多い拠点においては、インストール作業に多くの人手と時間を要していた。
【０００６】
また、展示端末の種類によりインストールするコンテンツが異なっており、また、コンテンツによってインストール方法が異なる場合があるので、端末種別に応じた方法で間違えることなくインストールを行うには、ある程度の熟練が必要であった。また、間違えないようにインストールするために担当者にかかる負担は少なくなかった。
【０００７】
本発明は以上のような問題を解決するためになされたものであり、その目的は、コンテンツ配信システムから配信されるコンテンツを各拠点に設置された各コンテンツ表示端末装置へインストールする作業の自動化を図るコンテンツ配信システムを提供することにある。
【０００８】
【課題を解決するための手段】
以上のような目的を達成するために、本発明に係るコンテンツ配信システムは、コンテンツを表示する１または複数種類のコンテンツ表示端末装置が複数台設置された複数の拠点と、各拠点に対してコンテンツを配信するコンテンツ配信センタとを有するコンテンツ配信システムにおいて、前記コンテンツ配信センタには、配信対象のコンテンツ、そのコンテンツのインストールソフトウェア、そのコンテンツの表示スケジュール情報及びコンテンツ属性情報を含むコンテンツ情報を、コンテンツ毎表示スケジュール毎に生成するコンテンツ情報生成処理手段と、コンテンツ種別と、当該コンテンツ種別に該当するコンテンツを含むコンテンツ情報の配信先となる拠点を特定する情報とが対応付けされた配信先情報が登録された配信先情報データベースと、予め設定されている配信スケジュールに従いコンテンツ情報を、配信先情報に基づき特定した各拠点に自動配信する自動配信処理手段とを有するコンテンツ配信サーバが設置され、前記各拠点には、コンテンツ種別に基づき当該コンテンツの配信先とする前記コンテンツ表示端末装置を特定するための配信先端末情報が登録された配信先端末情報データベースと、予め設定されている配信スケジュールに従い前記コンテンツ配信サーバから配信されてきたコンテンツ情報に含まれているコンテンツ、インストールソフトウェア及び表示スケジュール情報を、配信先端末情報に基づき特定した前記コンテンツ表示端末装置に自動配信する拠点内コンテンツ配信処理手段とを有するコンテンツ中継サーバが設置され、前記各コンテンツ表示端末装置は、前記コンテンツ中継サーバからコンテンツ及び当該コンテンツのインストールソフトウェアが送られてきた時点で当該コンテンツのインストールを自動的に開始するインストール実行手段を有し、制作されたコンテンツの前記各コンテンツ表示端末装置への配信及びインストールを自動的に実行するものである。
【０００９】
また、前記コンテンツ配信サーバは、コンテンツを前記拠点へ自動配信する配信時間情報を設定する配信スケジュール設定手段を有するものである。
【００１０】
また、前記拠点内コンテンツ配信処理手段は、前記コンテンツ表示端末装置にコンテンツを自動配信する際、前記各コンテンツ表示端末装置への配信済の表示スケジュール情報を事前に調査し、表示スケジュール情報が未配信であったときのみ当該表示スケジュール情報を該当する前記コンテンツ表示端末装置へ配信するものである。
【００１１】
また、前記拠点内コンテンツ配信処理手段は、前記コンテンツ表示端末装置にコンテンツを自動配信する際、前記各コンテンツ表示端末装置への配信済のコンテンツを事前に調査し、コンテンツが未配信であったときのみ当該コンテンツ及びインストールソフトウェアを該当する前記コンテンツ表示端末装置へ配信するものである。
【００１２】
【発明の実施の形態】
以下、図面に基づいて、本発明の好適な実施の形態について説明する。なお、本実施の形態においては、本発明に係るコンテンツ配信システムをマルチメディア科学館へのコンテンツの配信に適用する場合を例にして説明する。
【００１３】
図１は、本発明に係るコンテンツ配信システムの一実施の形態を示したブロック構成図である。図１には、制作されたコンテンツを各マルチメディア科学館へ配信するコンテンツ配信センタ１とマルチメディア科学館に相当する拠点２及び管轄内拠点３が示されている。本実施の形態における拠点２は、全種類のコンテンツ表示端末装置が複数台設置されている相対的に大規模なマルチメディア科学館を想定している。一方、管轄内拠点３は、拠点２と同一地域内にあり、全種類のコンテンツ表示端末装置が設置されていない相対的に小規模な施設を想定している。このため、管轄内拠点３は、拠点２が管理している。
【００１４】
コンテンツ配信センタ１には、コンテンツ配信処理を実行するコンテンツ配信サーバ４が設置されている。コンテンツ配信サーバ４は、コンテンツ情報を生成してコンテンツ情報データベース５に格納するコンテンツ情報生成処理部６及び予め設定されている配信スケジュールに従い配信先情報データベース７に予め登録されている拠点２に対してコンテンツ情報を自動配信する自動配信処理部８を有している。
【００１５】
各拠点２には、コンテンツ配信サーバ４にネットワーク接続されたコンテンツ中継サーバ９とコンテンツを表示する複数台のコンテンツ表示端末装置（展示端末）１０とが設置されている。コンテンツ中継サーバ９は、コンテンツ配信サーバ４から配信されるコンテンツ情報を受信するためのコンテンツ受信用フォルダ１１と、配信先端末情報データベース１２に従い受信したコンテンツ等を該当する展示端末１０へダウンロードする拠点内コンテンツ配信処理部１３と、受信したコンテンツ情報を管轄内拠点３へ配信する自動配信処理部１４とを有している。
【００１６】
展示端末１０には、表示制御全体を行う汎用的なパーソナルコンピュータにジョイスティックや大型プロジェクタ等の入出力用機器が接続されることによって異なる種類の展示端末として形成され、予め設定された表示スケジュールに従いＭＰＥＧ等の映像や３次元ＣＧなどの種々のコンテンツを種々の形態で展示できるように構成されている。その一方、各展示端末１０は、端末種別に関係なく、コンテンツ中継サーバ９からダウンロードされるコンテンツ等を受信するためのコンテンツ受信用フォルダ１５と、インストールソフトウェアを実行することによりコンテンツをコンテンツデータベース１６に登録するなどして実行できるように設定するインストール実行部１７と、表示スケジュール情報データベース１８に格納されている表示スケジュールに従いコンテンツの表示を行うコンテンツ表示処理部１９とを有している。
【００１７】
管轄内拠点３には、自動配信処理部１４を有していない以外は拠点２と同様の構成で実現される。
【００１８】
次に、本実施の形態において、制作されたコンテンツを各展示端末１０にインストールするまでの処理の流れを説明する。まず、コンテンツ配信センタ１において行われる処理を図２に示したフローチャートを用いて説明する。
【００１９】
コンテンツが内部においてあるいは外部に依頼して制作されると、コンテンツ情報生成処理部６は、コンテンツ情報を生成してコンテンツ情報データベース４に登録する。なお、インストールソフトウェアは、コンテンツと共に制作される。自動配信処理部８は、生成されたコンテンツ情報を事前に設定された配信スケジュールにしたがって各拠点２へ配信する。この配信されるコンテンツ情報は、コンテンツ属性情報、表示スケジュール情報、コンテンツ、インストールソフトウェア及び配信スケジュール情報で構成される。各コンテンツは、複数の表示スケジュールに組み込まれる可能性があるので、コンテンツ情報は、コンテンツ毎表示スケジュール毎に生成される。コンテンツ情報生成処理部６は、コンテンツ情報を次のようにして生成する。
【００２０】
コンテンツが制作されると、コンテンツ情報生成処理部６は、まず最初にコンテンツ属性情報を生成する（ステップ１０１）。コンテンツ属性情報は、図３に示したコンテンツ属性情報登録画面から管理者により入力された情報により構成される。このうち、「タイトル名」はコンテンツに割り付けるタイトル名、「電子ファイルの格納場所」は、図示しないディスク装置におけるコンテンツの格納フォルダ、「コンテンツ種別」は動画、ＣＧ等コンテンツの種類である。
【００２１】
続いて、コンテンツ情報生成処理部６は、配信スケジュール情報を設定する（ステップ１０２）。配信スケジュール情報は、図４に示した配信スケジュール情報設定画面から管理者により入力された情報により構成される。端末運用時間帯は、各展示端末１０においてコンテンツが表示される端末運用時間帯である。データ転送時間帯は、コンテンツを転送する時間帯であり、転送開始時刻になった時点で各拠点２への当該コンテンツ情報の配信を自動的に開始する。データ転送時間帯には、通常、拠点２におけるの処理負荷を考慮して端末運用時間帯と重複しないように時刻が設定される。
【００２２】
続いて、コンテンツ情報生成処理部６は、表示スケジュール情報を設定する（ステップ１０３）。表示スケジュール情報は、図５に示した表示スケジュール情報設定画面から管理者により入力された情報により構成される。画面の左側には、スケジュールの属性情報を入力するための各フィールドが設けられている。このうち、「表示スケジュール名」は、各表示スケジュールに割り付けられた名称である。画面の右側には、実際のスケジュールを設定するためのスケジュール設定領域が設けられており、スケジュールに組み込みたいコンテンツを一覧表示したものの中から選択する。
【００２３】
コンテンツ情報生成処理部６は、コンテンツ、インストールソフトウェア、そして以上のようにして生成された各情報を対応付けしてコンテンツ情報を生成してコンテンツ情報データベース４に登録する（ステップ１０４）。なお、コンテンツは、複数の異なる表示スケジュールに組み込まれる可能性があるので、同一内容のコンテンツや表示スケジュール情報等を含むコンテンツ情報が複数生成される場合がある。従って、本実施の形態では、コンテンツ情報を構成する各情報を別ファイルで保存し、コンテンツ情報には、各情報のポインタ（ファイル名）のみを持たせるようにしてもよい。なお、各ファイルには、予め決められた規則に従い名称が付けられる。このように、コンテンツ情報のデータ構成、コンテンツ情報データベース４の内部仕様は、本発明を利用するシステム環境に適したものとすればよく、本発明の要旨ではない。
【００２４】
以上のようにしてコンテンツ情報が生成されると、自動配信処理部８は、未転送の各コンテンツ情報に含まれる配信スケジュール情報の転送開始時刻と現在時刻とを定期的に比較して、転送開始時刻に達したコンテンツ情報を各拠点２へ配信する（ステップ１０５）。配信先情報データベース７には、コンテンツ種別と各拠点２に設置されているコンテンツ中継サーバ９のＩＰアドレスとが対応付けして登録されているので、自動配信処理部８は、未転送の各コンテンツ情報のコンテンツ属性情報に設定されているコンテンツ種別を参照して該当する拠点２のみへ各コンテンツ情報をダウンロードすることになる。なお、ダウンロードしたコンテンツ情報が格納される各コンテンツ中継サーバ９のコンテンツ受信用フォルダ１１の名称は、予め決められている。
【００２５】
次に、各拠点２において行われる処理を図６に示したフローチャートを用いて説明する。
【００２６】
コンテンツ中継サーバ９では、コンテンツ受信用フォルダ１１へ定期的に参照しにいくことでコンテンツ情報が送られてきたかどうかを監視している（ステップ２０１）。この監視処理は、展示端末１０の運用時間帯には行わないようにしてもよい。運用時間帯における処理負荷を考慮するためである。コンテンツ情報の受信完了を確認すると、拠点内コンテンツ配信処理部１３は、図示しないコンテンツ情報データベースへ移動し保存する（ステップ２０２）。そして、拠点内コンテンツ配信処理部１３は、受信したコンテンツ情報の各コンテンツ情報のコンテンツ属性情報に設定されているコンテンツ種別に基づき配信先端末種別テーブル１２ａを参照することによってコンテンツ情報の配信先とする展示端末種別を特定する。更に、特定した展示端末種別に基づき配信先端末テーブル１２ｂを参照することによってコンテンツ情報の配信先とする展示端末１０を特定する（ステップ２０３）。このようにして、コンテンツ配信センタ１から配信されてきたコンテンツをインストールする展示端末１０を自動的に特定することができる。
【００２７】
続いて、拠点内コンテンツ配信処理部１３は、特定した展示端末１０に対して該当するコンテンツを配信することになるが、本実施の形態では、各展示端末１０への配信処理を効率的に行うために以下のような判定処理を含めている。なお、コンテンツ情報に含まれている情報のうち配信スケジュール情報は、コンテンツ配信センタ１から各拠点２へ配信するための情報であるので、各展示端末１０へはダウンロードしない。以降の説明において展示端末１０へコンテンツ情報を配信するというときには、配信スケジュール情報を除くものとする。
【００２８】
まず、該当する展示端末１０へ送ろうとするコンテンツ情報に含まれる表示スケジュール情報に設定されている表示スケジュール名（バージョンを含める）と、当該展示端末１０へ過去にダウンロードした表示スケジュール情報に設定されている各表示スケジュール名（バージョンを含める）とを比較する（ステップ２０４）。なお、展示端末１０へダウンロード済みのコンテンツ情報に関しては、この比較処理時点で展示端末１０に問い合わせて表示スケジュール名を返答してもらうようにしてもよいし、配信履歴情報としてコンテンツ中継サーバ９で保持管理しておいてもよい。後述する他の情報においても同様とする。一致する表示スケジュール名の表示スケジュール情報が当該展示端末１０に存在する場合には、その表示スケジュールに従い表示されるコンテンツは、展示端末１０へダウンロード済であると判断できるのでコンテンツ情報を当該展示端末１０へダウンロードしない。一致するものが存在しない場合には、その表示スケジュール情報を該当する展示端末１０へダウンロードする（ステップ２０５）。なお、ダウンロードした表示スケジュール情報及び後述する他の情報が格納される各展示端末１０のコンテンツ受信用フォルダ１５の名称は、予め決められている。
【００２９】
次に、該当する展示端末１０へ配信しようとするコンテンツ情報に含まれるコンテンツ属性情報に設定されているコンテンツのタイトル名（バージョンを含める）と、当該展示端末１０へ過去にダウンロードしたコンテンツ情報に含まれるコンテンツ属性情報に設定されているコンテンツのタイトル名（バージョンを含める）とを比較する（ステップ２０６）。一致するタイトル名のコンテンツ属性情報が当該展示端末１０に存在する場合には、当該コンテンツは展示端末１０へダウンロード済であると判断できるので当該コンテンツ情報に含まれるコンテンツ属性情報、コンテンツ及びインストールソフトウェアを当該展示端末１０へダウンロードしない。一致するものが存在しない場合には、それらの情報を該当する展示端末１０へダウンロードする（ステップ２０７）。なお、コンテンツ属性情報は、コンテンツの属性に関する情報を含んでいるので、本実施の形態においては、コンテンツの管理上、コンテンツと共に展示端末１０へダウンロードするが、コンテンツを表示する際には不要な情報なので必ずしもダウンロードする必要はない。
【００３０】
上述した判定処理を含めるようにしたのは、次のような場合が想定されるからである。例えば、ある展示端末Ｔ０１では、表示スケジュールＳ１（バージョン１．００）に従いコンテンツＡ，Ｂ，Ｃをこの順番で表示していたとする。ここで、今回、表示スケジュールＳ１をバージョン１．０１にバージョンアップしてコンテンツＡ，Ｂ，Ｃ，Ｄを表示させようとしたとき、コンテンツＡ，Ｂ，Ｃは既にインストール済なので改めてダウンロードする必要がない。また、今回、コンテンツＣ，Ｄ，Ｅをこの順番で表示する表示スケジュールＳ２（バージョン１．００）で表示させようとしたとき、コンテンツＣは既にインストール済なので改めてダウンロードする必要がない。そこで、本実施の形態では、展示端末Ｔ０１にダウンロード済の表示スケジュール及びコンテンツの各リストをコンテンツ中継サーバ９に通知して、インストール済のコンテンツを該当する展示端末１０へコンテンツ中継サーバ９から配信させないようにした。つまり、コンテンツのダウンロード及びインストール処理を重複して実行させないことで処理効率の向上を図るようにした。
【００３１】
以上のようにして、該当する各展示端末１０へ該当するコンテンツ等を自動配信すると、自動配信処理部１４は、コンテンツ情報を各管轄内拠点３へ自動配信する（ステップ２０８）。各管轄内拠点３のＩＰアドレスは、コンテンツ中継サーバ９に予め保持されている。
【００３２】
なお、各管轄内拠点３では、上述した拠点２における処理と同様の処理が実行され、管轄内拠点３に設置された各展示端末にコンテンツがインストールされる。管轄内拠点３においてもインストール済のコンテンツが再度インストールされないように上述した判定処理が実行される。
【００３３】
次に、各展示端末１０において行われる処理を図７に示したフローチャートを用いて説明する。
【００３４】
展示端末１０では、コンテンツ受信用フォルダ１５に定期的に参照しにいくことでコンテンツ等がダウンロードされてきたかどうかを監視している（ステップ３０１）。この監視処理は、展示端末１０の運用時間帯には行わないようにしてもよい。運用時間帯における処理負荷を考慮するためである。コンテンツ等の受信完了を確認すると、表示スケジュール情報は、表示スケジュール情報へ移動され保存される（ステップ３０２）。続いて、インストール実行部１７は、インストールソフトウェアがダウンロードされてきている場合は、インストールソフトウェアを起動し実行することでコンテンツをインストールする（ステップ３０３）。これにより、コンテンツはコンテンツデータベース１６に登録される。なお、インストールソフトウェアのファイル名は、予め決められている。
【００３５】
各展示端末１０において、以上のようにしてコンテンツのインストールが完了すると、コンテンツ表示処理部１９は、最新の表示スケジュール情報に従い１乃至複数のコンテンツをスケジューリングされた時刻、順番で表示する。
【００３６】
本実施の形態によれば、以上のように構成したことにより、配信スケジュールに従いコンテンツ配信センタ１から各拠点２へ当該コンテンツを自動配信することができる。また、各拠点２においては、配信されてきたコンテンツをコンテンツ中継サーバ９から該当する各展示端末１０へ自動配信することができる。この際、配信先端末情報データベース１２を設けたことにより、どの展示端末１０へコンテンツを配信すればよいかということを特定することができる。更に、コンテンツ等を自動配信する前に、配信済か否かを事前に調査するようにしたので、重複した情報配信を防止することができる。また、展示端末１０においては、インストールソフトウェアが配信されてきたことを認識した時点で自動的に起動し実行するようにしたので、該当する展示端末１０へのコンテンツのインストールを自動的に実行することができる。
【００３７】
このように、制作されたコンテンツを展示端末１０へインストールする処理を自動化することができる。これにより、展示端末１０の種別や設置台数に関係なく、また、人手を要することなく、コンテンツが制作された翌日には当該コンテンツを所定の展示端末１０にて表示させることができる。
【００３８】
各拠点に設置された各コンテンツ表示端末装置へコンテンツをインストールする作業の自動化を図ることができる。
【００３９】
なお、本実施の形態では、展示端末が設置される拠点を階層的にして、コンテンツの情報配信も階層的に実行するようにしたが、コンテンツ配信センタ１の配信先情報データベース７に管轄内拠点３の情報も含めるようにすれば、必ずしも階層的に情報配信する必要はない。
【００４０】
また、コンテンツ情報を配信先を特定せずに衛星通信装置等を利用して一斉同報してもよい。端末種別に基づきコンテンツのインストール先を特定するようにしているので、不要なコンテンツ情報を受け取った拠点では、その情報を破棄すればよいからである。これにより、コンテンツ配信センタ１におけるコンテンツ配信処理をより効率的に行うことができる。ただ、衛生通信装置が設置されていない小規模の拠点が加わっていると、このような配信方法は採用できないので、このような場合には、上述したような配信方法と組み合わせたり、拠点を階層構造とすることで対応することができる。
【００４１】
本実施の形態では、本発明に係るコンテンツ配信システムをマルチメディア科学館へのコンテンツの配信に適用する場合を例にして説明したが、他の施設にも適用できることは言うまでもない。
【００４２】
【発明の効果】
本発明によれば、制作されたコンテンツを各拠点に設置されたコンテンツ表示端末装置への配信及びインストール処理の自動化を図ることができる。
【００４３】
また、コンテンツ配信センタから各拠点へのコンテンツの配信時間を設定できるようにしたので、コンテンツ表示端末装置における負荷を考慮した時間帯にインストール作業を実施させることができる。
【００４４】
また、各コンテンツ表示端末装置への配信済の表示スケジュール情報を事前に調査し、表示スケジュール情報が未配信であったときのみ当該表示スケジュール情報を該当するコンテンツ表示端末装置へ配信するようにしたので、コンテンツ表示端末装置へのコンテンツの配信処理を効率的に行うことができる。
【００４５】
また、各コンテンツ表示端末装置への配信済のコンテンツを事前に調査し、コンテンツが未配信であったときのみ当該コンテンツ及びインストールソフトウェアを該当するコンテンツ表示端末装置へ配信するようにしたので、コンテンツ表示端末装置へのコンテンツの配信処理を効率的に行うことができる。
【図面の簡単な説明】
【図１】  本発明に係るコンテンツ配信システムの一実施の形態を示したブロック構成図である。
【図２】  本実施の形態のコンテンツ配信センタにおける処理を示したフローチャートである。
【図３】  本実施の形態におけるコンテンツ属性情報登録画面の例を示した図である。
【図４】  本実施の形態における配信スケジュール情報設定画面の例を示した図である。
【図５】  本実施の形態における表示スケジュール情報設定画面の例を示した図である。
【図６】  本実施の形態のコンテンツ中継サーバにおける処理を示したフローチャートである。
【図７】  本実施の形態の展示端末における処理を示したフローチャートである。
【符号の説明】
１  コンテンツ配信センタ、２  拠点、３  管轄内拠点、４  コンテンツ配信サーバ、５  コンテンツ情報データベース、６  コンテンツ情報生成処理部、７配信先情報データベース、８，１４  自動配信処理部、９  コンテンツ中継サーバ、１０  コンテンツ表示端末装置（展示端末）、１１  コンテンツ受信用フォルダ、１２  配信先端末情報データベース、１２ａ  配信先端末種別テーブル、１２ｂ  配信先端末テーブル、１３  拠点内コンテンツ配信処理部、１５  コンテンツ受信用フォルダ、１６  コンテンツデータベース、１７  インストール実行部、１８  表示スケジュール情報データベース、１９  コンテンツ表示処理部。
【図１】
0004124399.tif 000002
【図２】
0004124399.tif 000003
【図３】
0004124399.tif 000004
【図４】
0004124399.tif 000005
【図５】
0004124399.tif 000006
【図６】
0004124399.tif 000007
【図７】
0004124399.tif 000008